(57)【要約】【課題】ユニット式であるという容易な施工性を確保したうえで、連結部材を使用せずに、複数のユニットを並べて敷設した際のユニットの位置ずれを防止することができる人工芝ユニットを提供する。【解決手段】人工芝ユニット１０は、芝葉１１ａが基層１１ｂに植設されている人工芝１１を有し、互いに係合可能な曲線状の一対の縁１ａ，１ｂ，１ａ′，１ｂ′を有する。【選択図】図３
2017128886.tif 000002
【特許請求の範囲】
【請求項１】
芝葉が基層に植設されている人工芝を有し、互いに係合可能な曲線状の一対の縁を有する、人工芝ユニット。
【請求項２】
前記一対の縁が、波型、三角波型または鋸波型である、請求項１に記載の人工芝ユニット。
【請求項３】
前記基層の下面に滑り止め層をさらに有し、前記滑り止め層の下面に凹凸が形成されている、請求項１または２に記載の人工芝ユニット。
【請求項４】
前記滑り止め層の下面に粘着剤が塗布されている、請求項３に記載の人工芝ユニット。
【請求項５】
前記滑り止め層がポリ塩化ビニル（ＰＶＣ）で形成されている、請求項３または４に記載の人工芝ユニット。
【請求項６】
六角形、または、合同な２つの台形の上辺同士もしくは底辺同士を繋ぎ合わせた形状を呈している、請求項１から５のいずれかに記載の人工芝ユニット。
【請求項７】
前記一対の縁が相対する第１の方向の寸法が、２０ｃｍから４０ｃｍの範囲であり、前記第１の方向に直交する第２の方向の寸法が、２０ｃｍから４０ｃｍの範囲である、請求項１から６のいずれかに記載の人工芝ユニット。
【請求項８】
請求項１〜７のいずれかに記載の人工芝ユニットを複数有し、隣接する前記人工芝ユニットの前記縁同士が互いに係合するように、複数の前記人工芝ユニットが並んで配置されている、人工芝施設。
【請求項９】
隣接する前記人工芝ユニットの前記芝葉の色が異なっている、請求項８に記載の人工芝施設。
【請求項１０】
表面に人工芝が貼り付けられた構造物がさらに置き敷きされている、請求項８または９に記載の人工芝施設。
【請求項１１】
前記構造物の形状が、直方体、立方体、球体、半球体、楕円体、楕円半球体、円錐、角錐、円柱、角柱、および棒状のいずれかである、請求項１０に記載の人工芝施設。
【請求項１２】
請求項１〜７のいずれかに記載の人工芝ユニットを複数準備し、隣接する前記人工芝ユニットの前記縁同士が互いに係合するように、複数の前記人工芝ユニットを並べて配置することを含む、人工芝施設の施工方法。
【発明の詳細な説明】
【技術分野】
【０００１】
本発明は人工芝ユニットに関し、より詳細には、複数のユニットを並べて敷設した際のユニットの位置ずれを防止することができる人工芝ユニット、人工芝施設およびその施工方法に関する。
【背景技術】
【０００２】
近年では、コンクリート敷きの殺風景な床面の美粧性を高めるために、人工芝の敷設が行われている。ビルの屋上や建物間の吹き抜け、中庭といった、比較的狭く小面積の場所に敷設される、従来のユニット式の人工芝としては、例えば下記特許文献１に示すユニット式人工芝が挙げられる。特許文献１のユニット式人工芝では、クッション機能を有するゴムチップが芝目に充填されており、敷設現場への輸送中にこのようなゴムチップがこぼれ落ちるのを防止するために、底板の外周縁に樹脂製の枠体が備えられている。敷設現場にて複数のユニットを並べて敷設した後、枠体を撤去し、位置ずれ防止のために複数のユニットを互いに連結することにより、クッション性を有する人工芝施設を、コンクリートの床面に敷設することができる。
【０００３】
一方で、近年では児童の運動不足が指摘されている。特に都会の学校（例えば、幼稚園、小学校、中学校）では運動場が狭く、授業間の休み時間も短いことから、児童が気軽に体を動かす場所を提供することが要望されている。
【先行技術文献】
【特許文献】
【０００４】
【特許文献１】特開２００５−１４６６１７号公報
【発明の概要】
【発明が解決しようとする課題】
【０００５】
児童の運動不足を解消するために、学校の吹き抜けや屋上、中庭等の空きスペースに人工芝を敷設することが考えられる。しかしながら、特許文献１のユニット式人工芝では、位置ずれ防止のために複数のユニットを連結する際に、隣接するユニットの底板同士を、継手部材および釘を用いて、または接続線材を用いて互いに接続しており、直ぐに裸足になろうとする傾向がある児童には、怪我の恐れがあり望ましくない。また、単に人工芝を敷設しただけでは、児童の興味を引かないという問題もある。
【０００６】
本発明は、このような課題を解決するためになされたものであり、その目的は、ユニット式であるという容易な施工性を確保したうえで、連結部材を使用せずに、複数のユニットを並べて敷設した際のユニットの位置ずれを防止することができる人工芝ユニット、人工芝施設およびその施工方法を提供することにある。
【課題を解決するための手段】
【０００７】
上記目的を達成するための本発明は、以下に示す態様を含む。
（項１）
芝葉が基層に植設されている人工芝を有し、互いに係合可能な曲線状の一対の縁を有する、人工芝ユニット。
（項２）
前記一対の縁が、波型、三角波型または鋸波型である、項１に記載の人工芝ユニット。
（項３）
前記基層の下面に滑り止め層をさらに有し、前記滑り止め層の下面に凹凸が形成されている、項１または２に記載の人工芝ユニット。
（項４）
前記滑り止め層の下面に粘着剤が塗布されている、項３に記載の人工芝ユニット。
（項５）
前記滑り止め層がポリ塩化ビニル（ＰＶＣ）で形成されている、項３または４に記載の人工芝ユニット。
（項６）
六角形、または、合同な２つの台形の上辺同士もしくは底辺同士を繋ぎ合わせた形状を呈している、項１から５のいずれかに記載の人工芝ユニット。
（項７）
前記一対の縁が相対する第１の方向の寸法が、２０ｃｍから４０ｃｍの範囲であり、前記第１の方向に直交する第２の方向の寸法が、２０ｃｍから４０ｃｍの範囲である、項１から６のいずれかに記載の人工芝ユニット。
（項８）
項１〜７のいずれかに記載の人工芝ユニットを複数有し、隣接する前記人工芝ユニットの前記縁同士が互いに係合するように、複数の前記人工芝ユニットが並んで配置されている、人工芝施設。
（項９）
隣接する前記人工芝ユニットの前記芝葉の色が異なっている、項８に記載の人工芝施設。
（項１０）
表面に人工芝が貼り付けられた構造物がさらに置き敷きされている、項８または９に記載の人工芝施設。
（項１１）
前記構造物の形状が、直方体、立方体、球体、半球体、楕円体、楕円半球体、円錐、角錐、円柱、角柱、および棒状のいずれかである、項１０に記載の人工芝施設。
（項１２）
項１〜７のいずれかに記載の人工芝ユニットを複数準備し、隣接する前記人工芝ユニットの前記縁同士が互いに係合するように、複数の前記人工芝ユニットを並べて配置することを含む、人工芝施設の施工方法。
【発明の効果】
【０００８】
本発明の人工芝ユニットによると、互いに係合可能な曲線状の一対の縁を有することにより、ユニット式であるという容易な施工性を確保したうえで、連結部材を使用せずに、複数のユニットを並べて敷設した際のユニットの位置ずれを防止することができる。
【図面の簡単な説明】
【０００９】
【図１】本発明の第１の実施形態に係る人工芝ユニット１０の断面図である。
【図２】本発明の第１の実施形態に係る人工芝ユニット１０の平面図である。（ａ）は上面図であり（ｂ）は下面図である。
【図３】本発明の第１の実施形態に係る人工芝ユニット１０の平面図である。
【図４】図３に示す人工芝ユニット１０が複数並べて配置された状態を示す図である。
【図５】複数の人工芝ユニットを並べて配置することにより構成した人工芝施設を含む空間の概略的な斜視図である。
【図６】図５に示す人工芝施設を含む空間の概略的な上面図である。
【図７】本発明の第２の実施形態に係る人工芝ユニット２０の平面図である。
【図８】図７に示す人工芝ユニット２０が複数並べて配置された状態を示す図である。
【図９】本発明の第３の実施形態に係る人工芝ユニット３０の平面図である。
【図１０】図９に示す人工芝ユニット３０が複数並べて配置された状態を示す図である。
【図１１】本発明の第４の実施形態に係る人工芝ユニット４０の平面図である。
【図１２】図１１に示す人工芝ユニット４０が複数並べて配置された状態を示す図である。
【図１３】本発明の第５の実施形態に係る人工芝ユニット５０の平面図である。
【図１４】図１３に示す人工芝ユニット５０が複数並べて配置された状態を示す図である。
【図１５】本発明の第６の実施形態に係る人工芝ユニット６０の平面図である。
【図１６】図１５に示す人工芝ユニット６０が複数並べて配置された状態を示す図である。
【発明を実施するための形態】
【００１０】
以下、本発明の実施の形態を、添付の図面を参照して詳細に説明する。なお、以下の説明および図面において、同じ符号は同じまたは類似の構成要素を示すこととし、よって、同じまたは類似の構成要素に関する説明を省略する。
【００１１】
（第１の実施形態）
図１は、本発明の第１の実施形態に係る人工芝ユニット１０の断面図である。図１に示すように、人工芝ユニット１０は、人工芝１１と滑り止め層１２とを備え、滑り止め層１２の下面には粘着剤１３が塗布されている。人工芝１１は、パイル（芝葉）１１ａの植設部が基層１１ｂの裏側に貫通し、パイル１１ａの表出部が表側に突出するように植設されている構造を有する。任意の構成として、基層１１ｂの裏側に貫通するパイル１１ａの植設部が、樹脂層（または合成ゴム層）１１ｃ）により基層１１ｂの裏側から固定されていてもよい。滑り止め層１２の下面には凹凸１２ａが形成されている。滑り止め層１２下面の凹凸１２ａ構造と粘着剤１３の粘着力との組合せにより、敷設箇所の床面（例えばコンクリート）との摩擦力がさらに向上し、人工芝ユニット１０の横滑りを効果的に防止する。
【００１２】
図２は、本発明の第１の実施形態に係る人工芝ユニット１０の平面図である。（ａ）は人工芝ユニット１０の上面図であり、（ｂ）は人工芝ユニット１０の下面図である。図２（ａ）に示すように、本実施形態では、人工芝ユニット１０の平面視形状は略正六角形（ハニカム形状）である。粘着剤１３は、滑り止め層１２下面の、図２（ｂ）中に一点鎖線で囲む周縁部の領域Ｒｅに塗布されている。
【００１３】
例示的に示す本実施形態では、人工芝１１には、ワールド敷物加工株式会社製の人工芝（品番：KF150）を使用し、滑り止め層１２には、ユニチカトレーディング（株）製の、クッション性を有するＰＶＣシート（品番：PV70）を使用する。粘着剤１３には、ノーテープ工業株式会社製のアクリル系エマルジョン形粘着剤（品番：ディノグリップ４５０）を使用する。アクリル系エマルジョン形粘着剤は糊残しが少なく、繰り返し床面への貼り付けが可能である。
【００１４】
図３は、本発明の第１の実施形態に係る人工芝ユニット１０の平面図である。（ａ）には縁の形状を説明するための符号を付して示し、（ｂ）には方向および寸法を説明するための補助線を付して示す。図４は、図３に示す人工芝ユニット１０が複数並べて配置された状態を示している。
【００１５】
第１の実施形態に係る人工芝ユニット１０は、互いに係合可能な曲線状の一対の縁を有している。具体的には、図３に示すように、人工芝ユニット１０の平面形状は略正六角形であり、第１の縁および第２の縁の曲線形状は三角波型である。辺１ａ，１ｂが第１の縁を形成し、辺１ａ′，１ｂ′が第２の縁を形成し、これら第１の縁および第２の縁が、互いに係合可能な曲線状の一対の縁を構成している。第１の縁を構成する辺１ａ，１ｂの寸法は略等しく、第２の縁を構成する辺１ａ′，１ｂ′の寸法は略等しい。第１の縁および第２の縁は第１の方向に沿って相対している。第１の方向とは、第１の縁の両端を結ぶ線分Ｄ１の中点と、第２の縁の両端を結ぶ線分Ｄ２の中点とを結ぶ直線Ｃ１が延びる方向であり、第２の方向とは、第１の方向に直交する方向である。第１の方向に沿った人工芝ユニット１０の最大の寸法Ｌ１は、好ましくは２０ｃｍから４０ｃｍの範囲内の寸法であり、第２の方向に沿った人工芝ユニット１０の最大の寸法Ｌ２は、好ましくは２０ｃｍから４０ｃｍの範囲内の寸法である。例示的な寸法としては、Ｌ１＝３４．６ｃｍ、Ｌ２＝３０ｃｍである。
【００１６】
そして、図４に示すように、このような一対の縁を有する複数の人工芝ユニット１０をタイル状に並べて配置した状態では、第１の縁と第２の縁とが互いに係合することにより、人工芝ユニット１０の位置ずれが防止される。図４中の人工芝ユニット１０１に注目して説明すると、縁が係合するとはすなわち、人工芝ユニット１０１の辺１ａと人工芝ユニット１０２の辺１ａ′とが互いにほぼ隙間無く接しており、人工芝ユニット１０１の辺１ｂと人工芝ユニット１０３の辺１ｂ′とが互いにほぼ隙間無く接していることを意味する。また、人工芝ユニット１０１の辺１ｃと人工芝ユニット１０４の辺１ｃ′とが互いにほぼ隙間無く接している。
【００１７】
このように、人工芝ユニット１０が、互いに係合可能な曲線状の一対の縁を有することにより、人工芝ユニット１０の位置ずれが防止される。特に本実施形態では、寸法Ｌ１に沿った第１の方向と、第１の方向に直交する、寸法Ｌ２に沿った第２の方向との２方向について、人工芝ユニット１０の位置ずれが防止される。
【００１８】
図５は、複数の人工芝ユニットを並べて配置することにより構成した人工芝施設を含む空間の概略的な斜視図であり、図６は、図５に示す人工芝施設を含む空間の概略的な上面図である。
【００１９】
人工芝施設は、例えば床面がコンクリート敷きの小学校の屋上吹抜に敷設される。図５および図６に示すように、人工芝施設は、複数の人工芝ユニット１０がタイル状に並べられることにより構成されており、プレイグラウンド１００として使用することができる。本実施形態では、敷設箇所の床面のプレイグラウンド１００以外の領域には、ロール巻きの状態から広げて敷設される公知の人工芝マット２００が、床面との間に、クッション性を有する例えばＰＶＣ製のクッション材（図示せず）を挟んで敷設されている。人工芝マット２００がプレイグラウンド１００の周囲に敷設されていることにより、プレイグラウンド１００の位置ずれが防止される。人工芝マット２００の表面には、表面に人工芝が貼り付けられた構造物７１，７２，７３，７４が置き敷きされている。構造物７１，７２，７３，７４は、適度な自重を有するので、人工芝マット２００またはプレイグラウンド１００の表面に置き敷きされても位置がずれなくなっている。
【００２０】
構造物７１は半球体または楕円半球体である。半球体の場合を例として、構造物７１の形成方法を説明すると、まず、半球状の凹部を設けた例えば発泡スチロールの型枠（例えば厚み３ｃｍ程度）に、ゴムチップとバインダー（結合剤）とを練り込んで詰め込んで乾燥させる。次に、型枠の発泡スチロールを剥がして、半球体のゴムチップの塊を得る。最後に、このゴムチップの塊の表面に、クッション材（例えば、ＰＶＣシート）と共に公知の人工芝の端切れを貼り付けることにより仕上げる。半球体の構造物７１の例示的な寸法のバリエーションとしては、半径Ｒ＝６０ｃｍ、４５ｃｍ、３０ｃｍである。半球体または楕円半球体の構造物７１を２つ組み合わせて、球体または楕円体の構造物を仕上げてもよい。
【００２１】
構造物７２は直方体または立方体である。構造物７２の形成方法としては、まずは、例えばウッドデッキ用のバツ材を使用して、直方体または立方体の箱を構成する。次に、この箱の表面に、クッション材（例えば、ＰＶＣシート）と共に公知の人工芝の端切れを貼り付けることにより仕上げる。
【００２２】
構造物７３は円錐または角錐であり、例えば構造物７１と同様の方法により形成される。構造物７４は、円柱または角柱であり、例えば構造物７２と同様の方法により、例えば木製の棒状の部材または丸太の表面に、クッション材（例えば、ＰＶＣシート）と共に公知の人工芝の端切れを貼り付けることにより仕上げる。
【００２３】
プレイグラウンド１００では、例えば図４に示すように、隣接する人工芝マット１０のパイル１１ａの色が異なるように配置されるのが好ましい。図４では、パイル１１ａの色の違いをハッチング模様の違いで示している。このように、隣接する人工芝マット間でパイル１１ａの色を異なるように配置することにより、単に単色（例えば緑色）の人工芝を敷設した場合よりも、児童の興味を強く引くことが可能となる。プレイグラウンド１００は、例えば児童による「けんけんぱ」遊びでの使用が想定される。「けんけんぱ」遊びとは、子供の遊びの一つであり、地面に図形を連ねて描き、図形の位置にあわせて片足飛びと両足着地とを繰り返す遊びである。構造物７１，７２は、例えば朝礼台としての使用が想定され、構造物７１，７２，７３，７４は、例えばアスレチック遊具としての使用が想定される。これら構造物７１，７２，７３，７４の表面に貼り付ける人工芝のパイルの色は、人工芝マット２００のパイルの色（例えば緑色）と異なるように選択するのが好ましい。
【００２４】
また、プレイグラウンド１００での「けんけんぱ」遊びを児童に促すために、プレイグラウンド１００が敷設されている空間に、リズム感を高揚させる音楽を流すこともできる。リズム感を高揚させる音楽の一例としては、例えば「けん・けん・ぱ」のフレーズを有する音楽や、児童が通う学校の校歌のリズムを有する音楽である。
【００２５】
以上、本発明の第１の実施の形態に係る人工芝ユニット１０によれば、互いに係合可能な三角波型の一対の縁を有することにより、複数のユニットを並べて敷設した際のユニットの位置ずれを防止することができる。人工芝ユニット１０の平面視形状は略六角形であるので、平面視の直交する２方向について位置ずれが防止される。したがって、例えば児童による「けんけんぱ」遊びのような、ユニットの横滑りが想定されるような場面であっても、ユニットの位置ずれの心配がない。人工芝ユニット１０の寸法も、児童による「けんけんぱ」遊びを想定した大きさである。また、人工芝ユニットの製造に使用する人工芝１１は比較的小面積であるので、これまでは敷設後に廃棄処分していたような寸法の人工芝ロールの端材を有効に活用することができる。
【００２６】
（他の実施形態）
本発明の第２〜第６の実施形態に係る人工芝ユニットは、それらの平面視形状が、第１の実施形態に係る人工芝ユニット１０と異なる。ユニットの断面構造および複数のユニットを並べて配置することによる人工芝施設の施工方法については、第１の実施形態に係る人工芝ユニット１０と同様である。
【００２７】
（第２の実施形態）
図７は、本発明の第２の実施形態に係る人工芝ユニット２０の平面図である。（ａ）には縁の形状を説明するための符号を付して示し、（ｂ）には方向および寸法を説明するための補助線を付して示す。図８は、図７に示す複数の人工芝ユニット２０が複数並べて配置された状態を示している。
【００２８】
第２の実施形態に係る人工芝ユニット１０は、互いに係合可能な曲線状の一対の縁を有している。具体的には、図７に示すように、人工芝ユニット２０の平面形状は、合同な２つの台形の上辺同士または底辺同士を繋ぎ合わせた形状であり、第１の縁および第２の縁の曲線形状は三角波型である。辺２ａ，２ｂが第１の縁を形成し、辺２ａ′，２ｂ′が第２の縁を形成し、これら第１の縁および第２の縁が、互いに係合可能な曲線状の一対の縁を構成している。第１の縁を構成する辺２ａ，２ｂの寸法は略等しく、第２の縁を構成する辺２ａ′，２ｂ′の寸法は略等しい。第１の縁および第２の縁は第１の方向に沿って相対している。第１の方向とは、第１の縁の両端を結ぶ線分Ｄ１の中点と、第２の縁の両端を結ぶ線分Ｄ２の中点とを結ぶ直線Ｃ１が延びる方向であり、第２の方向とは、第１の方向に直交する方向である。第１の方向に沿った人工芝ユニット２０の最大の寸法Ｌ１は、好ましくは２０ｃｍから４０ｃｍの範囲内の寸法であり、第２の方向に沿った人工芝ユニット２０の最大の寸法Ｌ２は、好ましくは２０ｃｍから４０ｃｍの範囲内の寸法である。
【００２９】
そして、図８に示すように、このような一対の縁を有する複数の人工芝ユニット２０をタイル状に並べて配置した状態では、第１の縁と第２の縁とが互いに係合することにより、人工芝ユニット２０の位置ずれが防止される。図８中の人工芝ユニット２０１に注目して説明すると、縁が係合するとはすなわち、人工芝ユニット２０１の辺２ａと人工芝ユニット２０２の辺２ａ′とが互いにほぼ隙間無く接しており、人工芝ユニット２０１の辺２ｂと人工芝ユニット２０３の辺２ｂ′とが互いにほぼ隙間無く接していることを意味する。また、人工芝ユニット２０１の辺２ｃと人工芝ユニット２０４の辺２ｃ′とが互いにほぼ隙間無く接している。
【００３０】
このように、人工芝ユニット２０が、互いに係合可能な曲線状の一対の縁を有することにより、人工芝ユニット２０の位置ずれが防止される。特に本実施形態では、寸法Ｌ１に沿った第１の方向と、第１の方向に直交する、寸法Ｌ２に沿った第２の方向との２方向について、人工芝ユニット２０の位置ずれが防止される。
【００３１】
（第３の実施形態）
図９は、本発明の第３の実施形態に係る人工芝ユニット３０の平面図である。（ａ）には縁の形状を説明するための符号を付して示し、（ｂ）には方向および寸法を説明するための補助線を付して示す。図１０は、図９に示す人工芝ユニット３０が複数並べて配置された状態を示している。
【００３２】
第３の実施形態に係る人工芝ユニット３０は、互いに係合可能な曲線状の一対の縁を有している。具体的には、図９に示すように、人工芝ユニット３０の平面形状は略六角形であり、第１の縁および第２の縁の曲線形状は三角波型である。辺３ａ，３ｂが第１の縁を形成し、辺３ａ′，３ｂ′が第２の縁を形成し、これら第１の縁および第２の縁が、互いに係合可能な曲線状の一対の縁を構成している。第１の縁を構成する辺３ａ，３ｂの寸法は異なっており、第２の縁を構成する辺３ａ′，３ｂ′の寸法は異なっている。第１の縁および第２の縁は第１の方向に沿って相対している。第１の方向とは、第１の縁の両端を結ぶ線分Ｄ１の中点と、第２の縁の両端を結ぶ線分Ｄ２の中点とを結ぶ直線Ｃ１が延びる方向であり、第２の方向とは、第１の方向に直交する方向である。第１の方向に沿った人工芝ユニット３０の最大の寸法Ｌ１は、好ましくは２０ｃｍから４０ｃｍの範囲内の寸法であり、第２の方向に沿った人工芝ユニット３０の最大の寸法Ｌ２は、好ましくは２０ｃｍから４０ｃｍの範囲内の寸法である。
【００３３】
そして、図１０に示すように、このような一対の縁を有する複数の人工芝ユニット３０をタイル状に並べて配置した状態では、第１の縁と第２の縁とが互いに係合することにより、人工芝ユニット３０の位置ずれが防止される。図１０中の人工芝ユニット３０１に注目して説明すると、縁が係合するとはすなわち、人工芝ユニット３０１の辺３ａと人工芝ユニット３０２の辺３ａ′とが互いにほぼ隙間無く接しており、人工芝ユニット３０１の辺３ｂと人工芝ユニット３０３の辺３ｂ′とが互いにほぼ隙間無く接していることを意味する。また、人工芝ユニット３０１の辺３ｃと人工芝ユニット３０４の辺３ｃ′とが互いにほぼ隙間無く接している。
【００３４】
このように、人工芝ユニット３０が、互いに係合可能な曲線状の一対の縁を有することにより、人工芝ユニット３０の位置ずれが防止される。特に本実施形態では、寸法Ｌ１に沿った第１の方向と、第１の方向に直交する、寸法Ｌ２に沿った第２の方向との２方向について、人工芝ユニット３０の位置ずれが防止される。
【００３５】
なお、第３の実施形態に係る人工芝ユニット３０の平面視形状は、第１の実施形態に係る人工芝ユニット１０において、辺１ａ，１ｂの寸法を異なるように変形し、辺１ａ′，１ｂ′の寸法を異なるように変形したものと理解することができる。
【００３６】
（第４の実施形態）
図１１は、本発明の第４の実施形態に係る人工芝ユニット４０の平面図である。（ａ）には縁の形状を説明するための符号を付して示し、（ｂ）には方向および寸法を説明するための補助線を付して示す。図１２は、図１１に示す人工芝ユニット４０が複数並べて配置された状態を示している。
【００３７】
第４の実施形態に係る人工芝ユニット４０は、互いに係合可能な曲線状の一対の縁を有している。具体的には、図１１に示すように、人工芝ユニット４０の平面形状は、合同な２つの台形の上辺同士または底辺同士を繋ぎ合わせた形状であり、第１の縁および第２の縁の曲線形状は三角波型である。辺４ａ，４ｂが第１の縁を形成し、辺４ａ′，４ｂ′が第２の縁を形成し、これら第１の縁および第２の縁が、互いに係合可能な曲線状の一対の縁を構成している。第１の縁を構成する辺４ａ，４ｂの寸法は異なっており、第２の縁を構成する辺４ａ′，４ｂ′の寸法は異なっている。第１の縁および第２の縁は第１の方向に沿って相対している。第１の方向とは、第１の縁の両端を結ぶ線分Ｄ１の中点と、第２の縁の両端を結ぶ線分Ｄ２の中点とを結ぶ直線Ｃ１が延びる方向であり、第２の方向とは、第１の方向に直交する方向である。第１の方向に沿った人工芝ユニット４０の最大の寸法Ｌ１は、好ましくは２０ｃｍから４０ｃｍの範囲内の寸法であり、第２の方向に沿った人工芝ユニット４０の最大の寸法Ｌ２は、好ましくは２０ｃｍから４０ｃｍの範囲内の寸法である。
【００３８】
そして、図１２に示すように、このような一対の縁を有する複数の人工芝ユニット４０をタイル状に並べて配置した状態では、第１の縁と第２の縁とが互いに係合することにより、人工芝ユニット４０の位置ずれが防止される。図１２中の人工芝ユニット４０１に注目して説明すると、縁が係合するとはすなわち、人工芝ユニット４０１の辺４ａと人工芝ユニット４０２の辺４ａ′とが互いにほぼ隙間無く接しており、人工芝ユニット４０１の辺４ｂと人工芝ユニット４０３の辺４ｂ′とが互いにほぼ隙間無く接していることを意味する。また、人工芝ユニット４０１の辺４ｃと人工芝ユニット４０４の辺４ｃ′とが互いにほぼ隙間無く接している。
【００３９】
このように、人工芝ユニット４０が、互いに係合可能な曲線状の一対の縁を有することにより、人工芝ユニット４０の位置ずれが防止される。特に本実施形態では、寸法Ｌ１に沿った第１の方向と、第１の方向に直交する、寸法Ｌ２に沿った第２の方向との２方向について、人工芝ユニット４０の位置ずれが防止される。
【００４０】
なお、第４の実施形態に係る人工芝ユニット４０の平面視形状は、第２の実施形態に係る人工芝ユニット２０において、辺２ａ，２ｂの寸法を異なるように変形し、辺２ａ′，２ｂ′の寸法を異なるように変形したものと理解することができる。
【００４１】
（第５の実施形態）
図１３は、本発明の第５の実施形態に係る人工芝ユニット５０の平面図である。（ａ）には縁の形状を説明するための符号を付して示し、（ｂ）には方向および寸法を説明するための補助線を付して示す。図１４は、図１３に示す人工芝ユニット５０が複数並べて配置された状態を示している。
【００４２】
第５の実施形態に係る人工芝ユニット５０は、互いに係合可能な曲線状の一対の縁を有している。具体的には、図１３に示すように、第１の縁および第２の縁の曲線形状は波型である。辺５ａが第１の縁を形成し、辺５ａ′が第２の縁を形成し、これら第１の縁および第２の縁が、互いに係合可能な曲線状の一対の縁を構成している。第１の縁および第２の縁は第１の方向に沿って相対している。第１の方向とは、第１の縁の両端を結ぶ線分Ｄ１の中点と、第２の縁の両端を結ぶ線分Ｄ２の中点とを結ぶ直線Ｃ１が延びる方向であり、第２の方向とは、第１の方向に直交する方向である。第１の方向に沿った人工芝ユニット５０の最大の寸法Ｌ１は、好ましくは２０ｃｍから４０ｃｍの範囲内の寸法であり、第２の方向に沿った人工芝ユニット５０の最大の寸法Ｌ２は、好ましくは２０ｃｍから４０ｃｍの範囲内の寸法である。
【００４３】
そして、図１４に示すように、このような一対の縁を有する複数の人工芝ユニット５０をタイル状に並べて配置した状態では、第１の縁と第２の縁とが互いに係合することにより、人工芝ユニット５０の位置ずれが防止される。図１４中の人工芝ユニット５０１に注目して説明すると、縁が係合するとはすなわち、人工芝ユニット５０１の辺５ａと人工芝ユニット５０２の辺５ａ′とが互いにほぼ隙間無く接していることを意味する。また、人工芝ユニット５０１の辺５ｂと人工芝ユニット５０３の辺５ｂ′とが互いにほぼ隙間無く接している。
【００４４】
このように、人工芝ユニット５０が、互いに係合可能な曲線状の一対の縁を有することにより、人工芝ユニット５０の位置ずれが防止される。特に本実施形態では、寸法Ｌ２に沿った第２の方向の少なくとも１方向について、人工芝ユニット５０の位置ずれが防止される。
【００４５】
（第６の実施形態）
図１５は、本発明の第６の実施形態に係る人工芝ユニット６０の平面図である。（ａ）には縁の形状を説明するための符号を付して示し、（ｂ）には方向および寸法を説明するための補助線を付して示す。図１６は、図１５に示す人工芝ユニット６０が複数並べて配置された状態を示している。
【００４６】
第６の実施形態に係る人工芝ユニット６０は、互いに係合可能な曲線状の少なくとも一対の縁を有している。具体的には、図１５に示すように、第１の縁および第２の縁の曲線形状は波型であり、第３の縁および第４の縁の曲線形状も波型である。符号６ａ，６ｂで特定される辺が第１の縁を形成し、符号６ａ′，６ｂ′で特定される辺が第２の縁を形成し、これら第１の縁および第２の縁が、互いに係合可能な曲線状の一対の縁を構成している。また、辺６ｃが第３の縁を形成し、辺６ｃ′が第４の縁を形成し、これら第３の縁および第４の縁が、互いに係合可能な曲線状の一対の縁を構成している。第１の縁および第２の縁は第１の方向に沿って相対している。第１の方向とは、第１の縁の両端を結ぶ線分Ｄ１の中点と、第２の縁の両端を結ぶ線分Ｄ２の中点とを結ぶ直線Ｃ１が延びる方向であり、第２の方向とは、第１の方向に直交する方向である。第３の縁および第４の縁は、第２の方向に沿って相対していると理解することもできる。第１の方向に沿った人工芝ユニット６００の最大の寸法Ｌ１は、好ましくは２０ｃｍから４０ｃｍの範囲内の寸法であり、第２の方向に沿った人工芝ユニット６０の最大の寸法Ｌ２は、好ましくは２０ｃｍから４０ｃｍの範囲内の寸法である。
【００４７】
そして、図１６に示すように、このような少なくとも一対の縁を有する複数の人工芝ユニット６０をタイル状に並べて配置した状態では、第１の縁と第２の縁とが互いに係合することにより、人工芝ユニット６０の位置ずれが防止される。図１６中の人工芝ユニット６０１に注目して説明すると、縁が係合するとはすなわち、人工芝ユニット６０１の符号６ａの部分と人工芝ユニット６０２の符号６ａ′の部分とが互いにほぼ隙間無く接しており、人工芝ユニット６０１の符号６ｂの部分と人工芝ユニット６０３の符号６ｂ′の部分とが互いにほぼ隙間無く接していることを意味する。また、人工芝ユニット６０１の辺６ｃと人工芝ユニット６０４の辺６ｃ′とが互いにほぼ隙間無く接している。
【００４８】
このように、人工芝ユニット６０が、互いに係合可能な曲線状の一対の縁を有することにより、人工芝ユニット６０の位置ずれが防止される。特に本実施形態では、寸法Ｌ１に沿った第１の方向と、第１の方向に直交する、寸法Ｌ２に沿った第２の方向との２方向について、人工芝ユニット６０の位置ずれが防止される。
【００４９】
（付記事項）
以上、本発明を特定の実施の形態によって説明したが、本発明は上記した実施の形態に限定されるものではない。
【００５０】
上記第１〜第６の実施形態では、人工芝ユニットは人工芝１１と滑り止め層１２とを備えているが、滑り止め層１２は任意の層であり省略することができる。
【００５１】
また、上記第１〜第６の実施形態では、粘着剤１３は、滑り止め層１２下面の図２（ｂ）中の一点鎖線で囲む周縁部の領域Ｒｅに塗布されているが、粘着剤１３は、滑り止め層１２下面の少なくとも一部に塗布されていればよく、滑り止め層１２下面の全体に塗布されていてもよい。
【００５２】
また、上記第１〜第６の実施形態では、公知の人工芝マット２００の表面に、表面に人工芝が貼り付けられた構造物７１，７２，７３，７４が置き敷きされているが、これら構造物７１，７２，７３，７４は、プレイグラウンド１００の表面に置き敷きされてもよい。すなわち、公知の人工芝マット２００を使用せずに、敷設箇所の床面全体に複数の人工芝ユニット１０をタイル状に並べて配置して、プレイグラウンド１００を床面の略全体に敷設してもよい。
【００５３】
また、上記第１〜第６の実施形態において、アスレチック性をより高めるために、表面に人工芝を貼り付けていない追加の構造物７５を、人工芝マット２００またはプレイグラウンド１００の表面に配置してもよい。図５および図６中に例示する追加の構造物７５は、例えば玉砂利等の敷石を内部に敷き詰めた箱である。敷石の飛散を防ぐために、例えば公知の人工芝の端切れを縫製して作製した袋内に敷石を入れておくとよい。
【００５４】
また、上記第１〜第６の実施形態では、第１の縁および第２の縁の曲線形状は波型または三角波型であるが、縁の曲線形状は、隣接する人工芝ユニット間で辺同士が互いにほぼ隙間無く接することができればよく、例示した波型および三角波型に加えて、鋸波型であってもよい。
【００５５】
また、上記第１〜第６の実施形態では、寸法Ｌ１は、第１の方向に沿う人工芝ユニットの最大の寸法とし、寸法Ｌ２は、第２の方向に沿う人工芝ユニットの最大の寸法としているが、人工芝ユニットの寸法の規定方法は一例であり、これら実施形態において規定した方法に限定されない。
【符号の説明】
【００５６】
１０    人工芝ユニット
１１    人工芝
１１ａ  パイル（芝葉）
１１ｂ  基層
１１ｃ  樹脂層（合成ゴム層）
１２    滑り止め層
１２ａ  凹凸
１３    粘着剤
２０，３０，４０，５０，６０    人工芝ユニット
７１，７２，７３，７４    表面に人工芝を貼り付けた構造物
７５    表面に人工芝を貼り付けていない構造物
１００    人工芝施設（プレイグラウンド）
２００    人工芝マット
【図１】
2017128886.tif 000003
【図２】
2017128886.tif 000004
【図３】
2017128886.tif 000005
【図４】
2017128886.tif 000006
【図５】
2017128886.tif 000007
【図６】
2017128886.tif 000008
【図７】
2017128886.tif 000009
【図８】
2017128886.tif 000010
【図９】
2017128886.tif 000011
【図１０】
2017128886.tif 000012
【図１１】
2017128886.tif 000013
【図１２】
2017128886.tif 000014
【図１３】
2017128886.tif 000015
【図１４】
2017128886.tif 000016
【図１５】
2017128886.tif 000017
【図１６】
2017128886.tif 000018
【手続補正書】
【提出日】平成28年5月24日(2016.5.24)
【手続補正１】
【補正対象書類名】明細書
【補正対象項目名】００１３
【補正方法】変更
【補正の内容】
【００１３】
例示的に示す本実施形態では、人工芝１１には、ワールド敷物加工株式会社製の人工芝（品番：KF150）を使用し、滑り止め層１２には、ワールド敷物加工株式会社製の、クッション性を有するＰＶＣシート（品番：PV70）を使用する。粘着剤１３には、ノーテープ工業株式会社製のアクリル系エマルジョン形粘着剤（品番：ディノグリップ４５０）を使用する。アクリル系エマルジョン形粘着剤は糊残しが少なく、繰り返し床面への貼り付けが可能である。